【手続補正書】
【提出日】平成18年10月25日(2006.10.25)
【手続補正１】
【補正対象書類名】明細書
【補正対象項目名】発明の名称
【補正方法】変更
【補正の内容】
【発明の名称】移植における免疫応答抑制のための線維芽細胞または線維芽細胞からの上澄みを含む組成物およびその使用法
【手続補正２】
【補正対象書類名】明細書
【補正対象項目名】特許請求の範囲
【補正方法】変更
【補正の内容】
【特許請求の範囲】
【請求項１】  移植片受容者における提供者組織に対する免疫応答の減少を誘導する組成物であって、移植された提供者組織に対する受容者の免疫応答を減少するのに有効な量で線維芽細胞と線維芽細胞培養からの上澄みより成るグループから選択される少なくとも１個の部材、および薬理許容担体を含むことを特徴とする組成物。
【請求項２】 前記少なくとも１個の部材が線維芽細胞であることを特徴とする請求項１記載の組成物。
【請求項３】 線維芽細胞が受容者に自己由来であることを特徴とする請求項２記載の組成物。
【請求項４】 線維芽細胞が受容者に同種異系であることを特徴とする請求項２記載の組成物。
【請求項５】 線維芽細胞が移植片の提供者から得られることを特徴とする請求項４記載の組成物。
【請求項６】 線維芽細胞が移植片の提供者と受容者両方に対して同種異系であることを特徴とする請求項２記載の組成物。
【請求項７】 線維芽細胞が移植片の投与の前に受容者に投与されることを特徴とする請求項２記載の組成物。
【請求項８】 線維芽細胞が移植片の投与と同時に投与されることを特徴とする請求項２記載の組成物。
【請求項９】 線維芽細胞が移植片の一部として投与されることを特徴とする請求項８記載の組成物。
【請求項１０】 線維芽細胞が移植片の後で投与されることを特徴とする請求項２記載の組成物。
【請求項１１】 線維芽細胞が受容者による移植片の拒絶を処置するために移植片受容者に投与されることを特徴とする請求項２記載の組成物。
【請求項１２】 線維芽細胞がヒトのものであることを特徴とする請求項２記載の組成物。
【請求項１３】 更に受容者に免疫抑制剤を投与することを含むことを特徴とする請求項１記載の組成物。
【請求項１４】 提供者組織が固形器官（臓器）であることを特徴とする請求項１記載の組成物。
【請求項１５】 固形器官（臓器）が心臓、腎臓、肺または肝臓から選択されることを特徴とする請求項１４記載の組成物。
【請求項１６】  移植片受容者における提供者組織による受容者組織に対する免疫応答を減少する組成物であって、受容者組織に対する提供者組織による免疫応答を減少するのに有効な量で線維芽細胞と線維芽細胞培養からの上澄みより成るグループから選択される少なくとも１個の部材、および薬理許容担体を含むことを特徴とする組成物。
【請求項１７】 前記少なくとも１個の部材が線維芽細胞であることを特徴とする請求項１６記載の組成物。
【請求項１８】 線維芽細胞が受容者に自己由来であることを特徴とする請求項１７記載の組成物。
【請求項１９】 線維芽細胞が提供者に自己由来であることを特徴とする請求項１７記載の組成物。
【請求項２０】 線維芽細胞が提供者と提供者組織の受容者両方に対して同種異系であることを特徴とする請求項１７記載の組成物。
【請求項２１】 提供者組織と線維芽細胞が提供者組織の移植の前に生体外で接触されることを特徴とする請求項１７記載の組成物。
【請求項２２】 提供者組織が線維芽細胞と接触される前に受容者組織に露出されることを特徴とする請求項２１記載の組成物。
【請求項２３】 線維芽細胞が受容者から得られることを特徴とする請求項１８記載の組成物。
【請求項２４】 提供者組織が骨髄であることを特徴とする請求項１６記載の組成物。
【請求項２５】 提供者組織が末梢血であることを特徴とする請求項１６記載の組成物。
【請求項２６】 更に受容者に免疫抑制剤を投与することを含むことを特徴とする請求項１６記載の組成物。
【請求項２７】  対宿主性移植片病に対し移植片受容者を処置するための組成物であって、移植された提供者組織による受容者に対する免疫応答を減少するのに有効な量で線維芽細胞と線維芽細胞培養からの上澄みより成るグループから選択される少なくとも１個の部材、および薬理許容担体を含むことを特徴とする組成物。
【請求項２８】 前記少なくとも１個の部材が線維芽細胞であることを特徴とする請求項２７記載の組成物。
【請求項２９】 線維芽細胞が受容者に自己由来であることを特徴とする請求項２８記載の組成物。
【請求項３０】 線維芽細胞が提供者に自己由来であることを特徴とする請求項２８記載の組成物。
【請求項３１】 線維芽細胞が提供者と受容者両方にとって同種異系であることを特徴とする請求項２８記載の組成物。
【請求項３２】 更に受容者に免疫抑制剤を投与することを含むことを特徴とする請求項２７記載の組成物。
【請求項３３】  逆免疫応答を処置するための組成物であって、移植片受容者における提供者組織に対する逆免疫応答を阻害しまたは減少させるのに有効な量のヒト線維芽細胞と薬理許容担体とを含むことを特徴とする組成物。
【請求項３４】  移植片受容者における提供者組織に対する免疫応答の減少を誘導する組成物の使用法であって、移植された提供者組織に対する受容者の免疫応答を減少するのに有効な量で線維芽細胞と線維芽細胞培養からの上澄みより成るグループから選択される少なくとも１個の部材、および薬理許容担体を含むことを特徴とする組成物の使用法。
【請求項３５】  前記少なくとも１個の部材が線維芽細胞であることを特徴とする請求項３４記載の組成物の使用法。
【請求項３６】  線維芽細胞が受容者に自己由来であることを特徴とする請求項３５記載の組成物の使用法。
【請求項３７】  線維芽細胞が受容者に同種異系であることを特徴とする請求項３５記載の組成物の使用法。
【請求項３８】  線維芽細胞が移植片の提供者から得られることを特徴とする請求項３７記載の組成物の使用法。
【請求項３９】  線維芽細胞が移植片の提供者と受容者両方に対して同種異系であることを特徴とする請求項３５記載の組成物の使用法。
【請求項４０】  線維芽細胞が移植片の投与の前に受容者に投与されることを特徴とする請求項３５記載の組成物の使用法。
【請求項４１】  線維芽細胞が移植片の投与と同時に投与されることを特徴とする請求項３５記載の組成物の使用法。
【請求項４２】  線維芽細胞が移植片の一部として投与されることを特徴とする請求項４１記載の組成物の使用法。
【請求項４３】  線維芽細胞が移植片の後で投与されることを特徴とする請求項３５記載の組成物の使用法。
【請求項４４】  線維芽細胞が受容者による移植片の拒絶を処置するために移植片受容者に投与されることを特徴とする請求項３５記載の組成物の使用法。
【請求項４５】  線維芽細胞がヒトのものであることを特徴とする請求項３５記載の組成物の使用法。
【請求項４６】  更に受容者に免疫抑制剤を投与することを含むことを特徴とする請求項３４記載の組成物の使用法。
【請求項４７】  提供者組織が固形器官（臓器）であることを特徴とする請求項３４記載の組成物の使用法。
【請求項４８】  固形器官（臓器）が心臓、腎臓、肺または肝臓から選択されることを特徴とする請求項４７記載の組成物の使用法。
【請求項４９】  移植片受容者における提供者組織による受容者組織に対する免疫応答を減少する組成物の使用法であって、受容者組織に対する提供者組織による免疫応答を減少するのに有効な量で線維芽細胞と線維芽細胞培養からの上澄みより成るグループから選択される少なくとも１個の部材、および薬理許容担体を含むことを特徴とする組成物の使用法。
【請求項５０】  前記少なくとも１個の部材が線維芽細胞であることを特徴とする請求項４９記載の組成物の使用法。
【請求項５１】  線維芽細胞が受容者に自己由来であることを特徴とする請求項５０記載の組成物の使用法。
【請求項５２】  線維芽細胞が提供者に自己由来であることを特徴とする請求項５０記載の組成物の使用法。
【請求項５３】  線維芽細胞が提供者と提供者組織の受容者両方に対して同種異系であることを特徴とする請求項５０記載の組成物の使用法。
【請求項５４】  提供者組織と線維芽細胞が提供者組織の移植の前に生体外で接触されることを特徴とする請求項５０記載の組成物の使用法。
【請求項５５】  提供者組織が線維芽細胞と接触される前に受容者組織に露出されることを特徴とする請求項５４記載の組成物の使用法。
【請求項５６】  線維芽細胞が受容者から得られることを特徴とする請求項５１記載の組成物の使用法。
【請求項５７】  提供者組織が骨髄であることを特徴とする請求項４９記載の組成物の使用法。
【請求項５８】  提供者組織が末梢血であることを特徴とする請求項４９記載の組成物の使用法。
【請求項５９】  更に受容者に免疫抑制剤を投与することを含むことを特徴とする請求項４９記載の組成物の使用法。
【請求項６０】  対宿主性移植片病に対し移植片受容者を処置するための組成物の使用法であって、移植された提供者組織による受容者に対する免疫応答を減少するのに有効な量で線維芽細胞と線維芽細胞培養からの上澄みより成るグループから選択される少なくとも１個の部材、および薬理許容担体を含むことを特徴とする組成物の使用法。
【請求項６１】  前記少なくとも１個の部材が線維芽細胞であることを特徴とする請求項６０記載の組成物の使用法。
【請求項６２】  線維芽細胞が受容者に自己由来であることを特徴とする請求項６１記載の組成物の使用法。
【請求項６３】  線維芽細胞が提供者に自己由来であることを特徴とする請求項６１記載の組成物の使用法。
【請求項６４】  線維芽細胞が提供者と受容者両方にとって同種異系であることを特徴とする請求項６１記載の組成物の使用法。
【請求項６５】  更に受容者に免疫抑制剤を投与することを含むことを特徴とする請求項６０記載の組成物の使用法。
【請求項６６】  逆免疫応答を処置するための組成物の使用法であって、移植片受容者における提供者組織に対する逆免疫応答を阻害しまたは減少させるのに有効な量のヒト線維芽細胞と薬理許容担体とを含むことを特徴とする組成物の使用法。